(57)【要約】  本発明のエアコンコンプレッサオイル検診器は、エアコンシステムに使用されるコンプレッサオイルの適正量とコンプレッサオイルの交換時期を判断することによってコンプレッサオイルを前もって管理することを可能にするためのものであって、エアコンシステムの高圧部(a)に連結され、透明材質の密閉構造で形成されるオイル容器体(1)と、オイル容器体の上側に連結される気体ライン(11)とオイル容器体の下側に連結される液体ライン(13)の開放を選択可能な3方向バルブ(3)と、オイル容器体(1)に内蔵されるボールフロート(5)と、ボールフロート(5)が浮上する際のコンプレッサオイルの水位に対する基準オイル水位(15)とコンプレッサオイルの基準色(17)を表示して、オイル容器体(1)に取りつけられているオイル量/状態表示部(7)とで構成されている。【選択図】      図１
2007520677.tif 000002
【特許請求の範囲】
【請求項１】
エアコンシステムの高圧部から冷媒とオイルが与えられ、冷媒が混合されたオイルを観察できるように透明材質の密閉構造で形成され、その一方側が高圧部に連結されるオイル容器体と、
前記オイル容器体から気体状態の冷媒と液体状態のコンプレッサオイルを低圧部へ排出させるように前記オイル容器体の上側に連結される気体ラインとオイル容器体の下側に連結される液体ラインを開くことが選択可能なバルブ手段と、
前記オイル容器体に内蔵され、前記バルブ手段の選択操作により増加するコンプレッサオイルの濃度によって、浮力が一定の値に至る時、コンプレッサオイル面に浮上するように形成されているボールフロートと、
前記ボールフロートが浮上する際のコンプレッサオイルの水位に対する基準オイル水位を表示して、コンプレッサオイルの量を基準オイル量と比較するように、さらに前記ボールフロートが浮上する際のコンプレッサオイルの基準色を表示してコンプレッサオイルの色を基準色と比較するように前記オイル容器体に取りつけられているオイル量/状態表示部と、
を備えているエアコンコンプレッサオイル検診器。
【請求項２】
請求項1において、
前記オイル容器体は、冷媒の蒸発潜熱によって温度が低下するコンプレッサオイルと外部空気の熱平衡をなす熱交換器を備えていることを特徴とするエアコンコンプレッサオイル検診器。
【請求項３】
請求項1又は請求項2において、
前記バルブ手段は、前記気体ラインと前記液体ラインを前記低圧部に連結することが選択可能な3方向バルブで構成されることを特徴とするエアコンコンプレッサオイル検診器。
【請求項４】
請求項3において、
前記気体ラインにはドライヤーが備えられ、低圧部側にはストレーナが設置されることを特徴とするエアコンコンプレッサオイル検診器。
【請求項５】
請求項1又は請求項2において、
前記バルブ手段は、前記気体ラインに設けられた気体調節バルブと、前記液体ラインと前記低圧部との間に備えられる3方向バルブとで構成されていて、前記オイル容器体に一体に構成されることを特徴とするエアコンコンプレッサオイル検診器。
【請求項６】
請求項1又は請求項2において、
前記オイル容器体は高圧部連結側に分離膜を更に備えていることを特徴とするエアコンコンプレッサオイル検診器。
【発明の詳細な説明】
【技術分野】
【０００１】
本発明はエアコンのコンプレッサオイル検診器に関するものであって、より詳細にはエアコンシステムのコンプレッサに使用されるコンプレッサオイルの量とコンプレッサオイルの交換時期を判断できるようにするエアコンのコンプレッサオイル検診器に関するものである。
【背景技術】
【０００２】
一般的に、エアコンのコンプレッサは冷媒を高温気体状態で高温液体状態に圧縮させてエアコンシステムで循環させる。この際、状態変化する冷媒と液体状態のコンプレッサオイルは互いに混合された状態で循環される。
このコンプレッサオイルはエアコンコンプレッサの冷媒圧縮部の磨耗防止と円滑な作動のため、常に適切な量と清潔度を維持していなければならない。
【０００３】
大韓民国登録実用新案公報第20207832号は上記のようにコンプレッサオイルの量と交換時期を判断できるようにする自動車冷房機用圧縮器のオイル点検具を示している。
上記オイル点検具では、エアコンシステムの冷媒ガスをオイルフィルターによって抜き出し、この際オイルフィルターに残留するオイルの量と色を見て、補充すべきのオイルの量とオイルの入れ替え時期を判断するようにする。
従って、このオイル点検具はエアコンシステムに使用されるコンプレッサオイルの量とオイル交換時期を正確に判断することが難しくなるという問題点を有している。
【０００４】
又、このオイル点検具は冷媒ガスを大気へ排出させることで、大気汚染及び冷媒浪費を惹き起こすなどの問題点を有している。
【発明の開示】
【発明が解決しようとする課題】
【０００５】
本発明は上記のような欠点を解消するためのものであって、本発明の目的はエアコンシステムに使用されるコンプレッサオイルの適正量とコンプレッサオイルの交換時期を判断することによってコンプレッサオイルを前もって適切に管理することを可能にして、エアコンコンプレッサの寿命を延長させ、エアコンシステムの性能を向上させるエアコンコンプレッサオイル検診器を提供することにある。
さらに、本発明の他の目的はコンプレッサオイルに含まれた水分及び不純物を除去してエアコンコンプレッサの寿命延長及びエアコンシステムの性能向上を達成するエアコンコンプレッサオイル検診器を提供することにある。
【課題を解決するための手段】
【０００６】
本発明のエアコンコンプレッサオイル検診器は、
エアコンシステムの高圧部から冷媒とオイルを与えて、この冷媒が混合されたオイルを観察できるように透明材質の密閉構造で形成され、その一方側が高圧部に連結されるオイル容器体と、
オイル容器体から気体状態の冷媒と液体状態のコンプレッサオイルを低圧部へ排出させるように、オイル容器体の上側に連結される気体ラインとオイル容器体の下側に連結される液体ラインを開放することを選択可能なバルブ手段と、
オイル容器体に内蔵されており、バルブ手段の選択操作により増加するコンプレッサオイルの濃度によって、浮力が一定の値に至る時、コンプレッサオイル面に浮上するように形成されているボールフロートと、
ボールフロートが浮上する際のコンプレッサオイルの水位に対する基準オイル水位を表示してコンプレッサオイルの量を基準オイル量と比較するように、ボールフロートが浮上する際のコンプレッサオイルの基準色を表示してコンプレッサオイルの色を基準色と比較するようにオイル容器体に取り付けられているオイル量/状態表示部とを備えている。
【０００７】
オイル容器体は冷媒の蒸発潜熱によって、温度低下されるコンプレッサオイルと外部空気の熱平衡をなす熱交換器を備えることが好ましく、熱交換器はオイル容器体に内蔵される熱伝達棒、この熱伝達棒に連結されてオイル容器体の外側に備えられている冷却フィン、この冷却フィンに備えられている冷却ファンで構成されていることが好ましい。
【０００８】
バルブ手段は、気体ラインと液体ラインを低圧部に連結することを選択可能な3方向バルブで構成されることが好ましい。
気体ラインにはドライヤーが備えられ、低圧部側にはストレーナが設置されることが好ましい。
【０００９】
バルブ手段は、気体ラインに備えられている気体調節バルブと、液体ラインと低圧部との間に備えられている3方向バルブで構成されて、オイル容器体に一体に構成されていることが好ましい。
オイル容器体は高圧部連結側に分離膜を更に備えて、混合状態の冷媒とコンプレッサオイルが流入される際、泡を発生させて冷媒の気化を促進させることが好ましい。
【００１０】
本発明の利点と長所は以下の望ましい実施例を添付した図面に基づいて詳細に説明することで、より明確になるだろう。
【発明の効果】
【００１１】
このように、本発明によるエアコンコンプレッサオイル検診器はコンプレッサオイルの濃度が一定の値に至る時、浮上するボールフロートを透明オイル容器体に内蔵し、基準オイル水位と基準色を表示しているオイル量/状態表示部をオイル容器体に備えている。
本発明では、オイル容器体内に残留する実際のコンプレッサオイルの水位と基準オイル水位を直接比較してエアコンシステムの内のコンプレッサオイルの量を判断することができる。さらに、ボールフロートの浮上の際、オイル容器体内に残留する実際のコンプレッサオイルの色と基準色を直接比較してエアコンシステム内のコンプレッサオイルの交換時期を判断することができるようにする。
つまり、本発明はコンプレッサオイルの状態を前もってチェックすることを可能にして、エアコンコンプレッサの寿命を延長させ、エアコンシステムの性能を向上させることができる。
【発明を実施するための最良の形態】
【００１２】
図1は、本発明の第1実施例に係わるエアコンコンプレッサオイル検診器の断面図であって、オイル容器体(1)、3方向バルブ(3)、ボールフロート(5)、及びオイル量/状態表示部(7)を含んでいる。
上記オイル容器体(1)はエアコンシステムの冷媒ラインに設置できるように構成されている。
【００１３】
このオイル容器体(1)は、エアコンシステムの高圧部(a)から混合された状態で冷媒とオイルが与えられ、この冷媒が混合されたオイルを観察できるように構成されている。このオイル容器体(1)は上、下板(1a、1b)とシリンダー(1c)で構成されたものが例示されているが、多様に構成されることができる。これにより、上、下板(1a、1b)とシリンダー(1c)の結合構造も多様に実現されることができる。ここではこれに関する具体的な説明を省略する。
このオイル容器体(1)の一方側は連結具(9)を介してエアコンシステムの高圧部(a)側に連結され、他方側は3方向バルブ(3)を介してエアコンシステムの低圧部(b)に連結される。マニホールドケージを使用する場合、オイル容器体(1)の連結具(9)にはマニホールドケージの低圧部(不図示)が連結され、一方向バルブ(3)にはオイル分離器(不図示)が連結されていることが好ましい。
【００１４】
このオイル容器体(1)は、外部から内部を観察できるように透明材質で形成され、冷媒及びコンプレッサオイルの高圧に耐えられる耐久性を有した密閉構造で成っている。
このオイル容器体(1)は多様な材質で形成されることができ、強化ガラス、ポリカボネート、又はポリエチレン複合素材で形成されることが好ましい。又、このオイル容器体(1)はエアコンコンプレッサの作動圧力を勘案して、設計圧力が14ｋｇ／ｃｍ2以上であり、破壊圧力が45ｋｇ／ｃｍ2以上であることが好ましい。
【００１５】
このオイル容器体(1)の上側には気体ライン(11)が連結され、その下側には液体ライン(13)が連結されている。即ち、この気体ライン(11)はコンプレッサオイルに混合された冷媒の気体のみを排出させるようにオイル容器体(1)の上側にその入口を備えて、液体ライン(13)は冷媒が混合された液体状態のコンプレッサオイルを排出させることができるようにオイル容器体(1)の下側にその入口を備えている。
正確なコンプレッサオイル検診のため、コンプレッサオイルを気体ライン(11)の入口まで充填し、オイル容器体(1)をエアコンシステムの高圧部(b)から隔離させた後、オイル容器体(1)の連結部(9)を介してオイル容器体(1)内の気体を抜き出すことが好ましい。
【００１６】
上記3方向バルブ(3)は、オイル容器体(1)に備えられた気体ライン(11)と液体ライン(13)の低圧部(b)側への連結・遮断を選択可能に構成されている。この3方向バルブ(3)は、気体ライン(11)と液体ライン(13)を開閉させる一つのバルブ手段として、これに限定されずに多様に構成されることができる。
即ち、この3方向バルブ(3)の選択作動により、オイル容器体(1)内の冷媒は気化されて気体ライン(11)を介して低圧部(b)へ供給されるか、又は液体ライン(13)を介して液体状態のコンプレッサオイルが低圧部(b)に供給される。
【００１７】
この3方向バルブ(3)が気体ライン(11)を低圧部(b)に連結すると、オイル容器体(1)内の溶媒が気化されて、気体ライン(11)を介して低圧部(b)へ供給されるので、オイル容器体(1)内のコンプレッサオイルの濃度が徐々に高くなる。このコンプレッサオイルの濃度が高くなるにつれて、コンプレッサオイルの浮力も更に徐々に高くなる。
このように変化するコンプレッサオイルの浮力を利用して、エアコンシステム内のコンプレッサオイルの量を判断できるように、ボールフロート(5)が上記オイル容器体(1)に内蔵されている。
【００１８】
このボールフロート(5)は、上記コンプレッサオイルの濃度によって、浮力が徐々に増加されて、上記濃度が一定の値に至る時、コンプレッサオイル面に浮上するように構成されている。
このコンプレッサオイルと冷媒は略2:8の割合でエアコンシステムに充填されている。ボールフロート(5)はこのオイル容器体(1)内でコンプレッサオイルの濃度が70~80%に至るとコンプレッサオイル面に浮上できるように構成されることが好ましい。このコンプレッサオイルの濃度範囲はこれに限定されずに、略10~90%まで拡張されることもできる。ただ、このボールフロート(5)が上記70%未満で浮上するように構成されると、短い時間内にオイルの量を判断することができるが、その誤差が大きくなる。又、ボールフロート(5)が上記80%超過で浮上するように構成されると、正確なオイルの量を判断することができるが、時間がかかる。
【００１９】
このボールフロート(5)の浮上時間はオイル容器体(1)の直径とも関連がある。即ち、オイル容器体(1)の直径が大径である場合、冷媒ガスの蒸発時間が長くなるにつれて、ボールフロート(5)の浮上時間も長くなる。従って、正確なオイル量の判断が可能になる。しかし、オイル容器体(1)の直径が小径である場合、冷媒ガスの蒸発時間が短くなるにつれて、ボールフロート(5)の浮上時間も短くなる。従って、短い時間内にオイル量の判断が可能であるが、その誤差が大きくなる。
上記オイル量/状態表示部(7)はオイル容器体(1)に取り付けられているので、ボールフロート(5)の浮上の際、オイル容器体(1)内に残留する実際コンプレッサオイルの水位と基準オイル水位(15)を直接比較することができ、ボールフロート(5)の浮上の際、オイル容器体(1)内に残留する実際コンプレッサオイルの色と基準色(17)を直接比較できるように構成されている。
【００２０】
即ち、オイル量/状態表示部(7)は図2に示されたように、縦方向に基準オイル水位(15)を表示し、基準オイル水位(17)の正常範囲内で横方向に基準色(17)を表示している。
この基準オイル水位(15)は下側の不足区間(15a)、不足区間(15a)上の正常区間(15b)、及びが正常区間(15b)上の過多区間(15c)で構成されて、エアコンシステム内のコンプレッサオイル量の不足、正常、及び過多を表すことになる。
【００２１】
即ち、使用者はボールフロート(5)浮上の際、オイル容器体(1)内に残留するコンプレッサオイルの水位が上記不足区間(15a)、正常区間(15b)、又は過多区間(15c)に位置するかを調べて、エアコンシステム内のコンプレッサオイル量の過不足を容易に判断することができることになる。上記コンプレッサオイルの水位が位置する区間(15a、15b、15c)によって、コンプレッサオイルの量を加減すれば良い。
又、上記基準色(17)は片側の正常区間(17a)、この正常区間(17a)の片側の点検区間(17b)、及びこの点検区間(17b)の片側の交換区間(17c)で構成されて、エアコンシステム内のコンプレッサオイル状態を表すことになる。
【００２２】
この基準色(17)の各区間(17a、17b、17c)は白色から暗赤色に連続的な色で構成されている。コンプレッサオイルは酸化、炭化及び汚染によって、白色から暗赤色に変化し、上記各区間(17a、17b、17c)はコンプレッサオイルの変化される色区間と一致している。
従って、使用者はボールフロート(5)浮上の際、オイル容器体(1)内に残留するコンプレッサオイルの色が上記正常区間(17a)、点検区間(17b)、又は交換区間(17c)の色に該当するかを調べて、エアコンシステム内のコンプレッサオイルの交換時期を容易に判断することができるようになる。即ち、使用者は上記コンプレッサオイルの色と正常、点検又は交換区間(17a、17b、17c)とを比較して、コンプレッサオイルの状態を確認すれば良い。
【００２３】
コンプレッサオイルの検診の後、3方向バルブ(3)を気体ライン(11)を遮断させるように制御して、液体ライン(13)を介してオイル容器体(1)内のコンプレッサオイルを低圧部(b)に回収する。
一方、気体ライン(11)にはドライヤー(19)が備えられることが好ましい。このドライヤー(19)は気体ライン(11)を介して排出される冷媒ガスに含まれた水分を吸収し、一定周期で交換される。このドライヤー(19)はモレキュラーシーブ(Molecular Sieve)タイプのものが適用されることが好ましい。
【００２４】
低圧部(b)側にはストレーナ(21)が設置されることが好ましい。このストレーナ(21)はオイル容器体(1)から低圧部(b)へ供給されるコンプレッサオイル及び冷媒に含まれた不純物をフィルタリングし、一定周期で交換される。このドライヤー(19)は100mesh以上の鉄網で構成されることが好ましい。
図3は本発明の第2実施例に係わるエアコンコンプレッサオイル検診器の断面図であって、第2実施例の全体的な構成及び作用効果は第1実施例のそれと類似乃至同一である。
従って、ここには第1実施例と類似乃至同一部分に対する説明は省略されていて、第1実施例と異なる部分に対する説明が記述されている。
【００２５】
この第2実施例の容器体(1)は熱交換器(23)を更に備えている。この熱交換器(23)は冷媒の蒸発潜熱によって、温度低下されるコンプレッサオイルと外部空気の熱平衡をなすように構成されている。
この熱交換器(23)は、オイル容器体(1)に内蔵される熱伝達棒(23a)と、この熱伝達棒(23a)に連結されてオイル容器体(1)の外側に備えられている冷却フィン(23b)と、この冷却フィン(23b)に備えられている冷却ファン(23c)とで構成されている。
【００２６】
この冷媒の蒸発潜熱によって、コンプレッサオイルの温度が低くなる場合、冷却ファン(23c)が駆動されて、相対的に高温である外部空気を冷却フィン(23b)に供給する。この冷却フィン(26b)は、熱伝達棒(23a)を介してコンプレッサオイルに熱を伝達して、コンプレッサオイルに混合されている冷媒の気化を促進させる。
この冷媒の気化促進は、ボールフロート(5)の浮上時間を短縮させて、コンプレッサオイルの検診時間を短縮させることになる。
図4は本発明の第3実施例に係わるエアコンコンプレッサオイル検診器の断面図であって、第3実施例の全体的な構成及び作用効果は第1、2実施例のそれと類似乃至同一である。
【００２７】
従って、ここには第1、2実施例と類似乃至同一部分に対する説明は省略されていて、第1、2実施例と異る部分に対する説明が記述されている。
第3実施例は気体気体調節バルブ(25)と3方向バルブ(27)で構成されるバルブ手段をオイル容器体(1)に一体に備えている。
【００２８】
この気体気体調節バルブ(25)は気体ライン(11)に備えられていて、気体状態冷媒の排出を調節することになる。
3方向バルブ(27)は液体ライン(13)に備えられていて、冷媒が混合されたコンプレッサオイルの排出を調節することになる。即ち、この3方向バルブ(27)は、気体調節バルブ(25)を経由した気体ライン(11)と液体ライン(13)の連結を断続できるように気体ライン(11)と液体ライン(13)との間に備えられ、不良コンプレッサオイルを排出させることができる排出口(27a)を備えている。
【００２９】
又、オイル容器体(1)は、高圧部(a)の連結側に分離膜(29)を更に備えている。この分離膜(29)は混合された状態の冷媒とコンプレッサオイルが流入される際、泡を発生させて冷媒の気化を促進させることになる。
分離膜(29)と熱交換器(23)は各々オイル容器体(1)にそれぞれ単独で適用されることもできるが、共に適用される場合は冷媒の気化を更に促進させることができる。
【図面の簡単な説明】
【００３０】
【図１】本発明の第1実施例に係るエアコンのコンプレッサオイル検診器の断面図。
【図２】本発明のエアコンのコンプレッサオイル検診器のオイル量/状態表示部の構成図。
【図３】本発明の第2実施例に係るエアコンのコンプレッサオイル検診器の断面図。
【図４】本発明の第3実施例に係るエアコンのコンプレッサオイル検診器の断面図。
【符号の説明】
【００３１】
1  オイル容器体
1a、1b  上、下板 
1c  シリンダー
3、3  方向バルブ
5  ボールフロート 
7  オイル量/状態表示部
9  連結具
11  気体ライン
13  液体ライン
15  基準オイル水位 
15a、15b、15c  不足、正常、過多区間
17  基準色 
17a、17b、17c  正常、点検、交換区間
19  ドライヤー 
21  ストレーナ
２3  熱交換器 
23a  伝達棒
23b  冷却フィン 
23c  冷却ファン
25  気体調節バルブ
27  3方向バルブ 
29  分離膜
a、b  エアコンシステムの高圧部、低圧部
【図１】
2007520677.tif 000003
【図２】
2007520677.tif 000004
【図３】
2007520677.tif 000005
【図４】
2007520677.tif 000006
【国際調査報告】
2007520677.tif 000007